(57)【要約】  本発明は、無線通信システムにおけるビーム追跡方法及び装置に関し、前記方法は基地局から多数の下向きリンク基準信号を受信して少なくとも一つ以上の下向きリンク送信ビームパターンを決定する過程と、前記決定された少なくとも一つ以上の下向きリンク送信ビームパターンに対応する識別子情報を含む多数の上向きリンク基準信号を前記基地局に伝送する過程と、前記基地局から、上向きリンク送信ビームパターンに対応する識別子情報及び前記多数の上向きリンク基準信号から前記少なくとも一つ以上の下向きリンク送信ビームパターンに対応する識別子が前記基地局に成功的に受信されたことを指示するＡＣＫ情報を受信する過程と、を含む。
2014529213.tif 000002
【特許請求の範囲】
【請求項１】
無線通信システムにおける端末のビーム追跡方法であって、
基地局から多数の下向きリンク基準信号を受信して少なくとも一つ以上の下向きリンク送信ビームパターンを決定する過程と、
前記決定された少なくとも一つ以上の下向きリンク送信ビームパターンに対応する識別子情報を含む多数の上向きリンク基準信号を前記基地局に伝送する過程と、
前記基地局から、上向きリンク送信ビームパターンに対応する識別子情報及び前記多数の上向きリンク基準信号から前記少なくとも一つ以上の下向きリンク送信ビームパターンに対応する識別子が前記基地局で成功的に検出されたことを指示するＡＣＫ情報を受信する過程と、を含むことを特徴とする方法。
【請求項２】
前記上向きリンク送信ビームパターンに対応する識別子情報を前記基地局から成功的に検出する場合、ＡＣＫ情報を前記基地局に伝送する過程と、
前記上向きリンク送信ビームパターンに対応する識別子情報を前記基地局から成功的に検出できない場合、第１ＮＡＣＫ情報を前記基地局に伝送する過程と、をさらに含むことを特徴とする、請求項１に記載の方法。
【請求項３】
前記基地局から、前記上向きリンク送信ビームパターンに対応する識別子情報を成功的に検出し、前記多数の上向きリンク基準信号から前記少なくとも一つ以上の下向きリンク送信ビームパターンに対応する識別子が前記基地局で成功的に受信できなかったことを指示する第１ＮＡＣＫ情報を受信する時、以前の多数の上向きリンク送信ビームパターンに基づいて、前記少なくとも一つ以上の下向きリンク送信ビームパターンに対応する識別子を前記基地局から再受信する過程と、をさらに含むことを特徴とする、請求項１に記載の方法。
【請求項４】
前記基地局から、前記上向きリンク送信ビームパターンに対応する識別子情報を成功的に検出できず、前記多数の上向きリンク基準信号から前記少なくとも一つ以上の下向きリンク送信ビームパターンに対応する識別子が前記基地局で成功的に受信できなかったことを指示する第２ＮＡＣＫ情報を受信する時、前記決定された少なくとも一つ以上の下向きリンク送信ビームパターンに対応する識別子情報を含む多数の上向きリンク基準信号を前記基地局に再伝送する過程と、
前記基地局から、上向きリンク送信ビームパターンに対応する識別子情報及び前記多数の上向きリンク基準信号から前記少なくとも一つ以上の下向きリンク送信ビームパターンに対応する識別子が前記基地局で成功的に受信されたことを指示する第２ＡＣＫ情報を再受信する過程と、をさらに含むことを特徴とする、請求項１に記載の方法。
【請求項５】
無線通信システムにおける基地局のビーム追跡方法であって、
端末に多数の下向きリンク基準信号を送信する過程と、
前記多数の下向きリンク基準信号に基づいて前記端末により決定された少なくとも一つ以上の下向きリンク送信ビームパターンに対応する識別子情報を含む多数の上向きリンク基準信号を前記端末から受信する過程と、
前記多数の上向きリンク基準信号に基づいて決定された上向きリンク送信ビームパターンに対応する識別子情報及び前記少なくとも一つ以上の下向きリンク送信ビームパターンに対応する識別子が成功的に受信されたことを指示するＡＣＫ情報を伝送する過程と、を含むことを特徴とする方法。
【請求項６】
前記端末により、前記上向きリンク送信ビームパターンに対応する識別子情報を成功的に検出される場合、ＡＣＫ情報を前記端末から受信する過程と、
前記端末により、前記上向きリンク送信ビームパターンに対応する識別子情報を成功的に検出できない場合、ＮＡＣＫ情報を前記端末から受信する過程と、をさらに含むことを特徴とする、請求項５に記載の方法。
【請求項７】
前記上向きリンク送信ビームパターンに対応する識別子情報を成功的に検出し、前記多数の上向きリンク基準信号から前記少なくとも一つ以上の下向きリンク送信ビームパターンに対応する識別子が成功的に受信できなかったことを指示するＮＡＣＫ情報を伝送する時、以前の多数の上向きリンク送信ビームパターンに基づいて、前記少なくとも一つ以上の下向きリンク送信ビームパターンに対応する識別子を前記端末に再伝送する過程をさらに含むことを特徴とする、請求項５に記載の方法。
【請求項８】
上向きリンク送信ビームパターンに対応する識別子情報を成功的に検出できず、前記多数の上向きリンク基準信号から前記少なくとも一つ以上の下向きリンク送信ビームパターンに対応する識別子が成功的に受信できなかったことを指示するＮＡＣＫ情報を伝送する時、前記決定された少なくとも一つ以上の下向きリンク送信ビームパターンに対応する識別子情報を含む多数の上向きリンク基準信号を再受信する過程と、
上向きリンク送信ビームパターンに対応する識別子情報及び前記多数の上向きリンク基準信号から前記少なくとも一つ以上の下向きリンク送信ビームパターンに対応する識別子が成功的に受信されたことを指示するＡＣＫ情報を再び前記端末に再伝送する過程と、をさらに含むことを特徴とする、請求項５に記載の方法。
【請求項９】
無線通信システムにおける端末のビーム追跡方法であって、
基地局から多数の下向きリンク基準信号を受信して少なくとも一つ以上の下向きリンク送信ビームパターンを決定する過程と、
決定された一つ以上の上向きリンク送信ビームパターンを用いて、少なくとも一つ以上の下向きリンク送信パターンに対応する識別子情報を前記基地局に伝送する過程と、
前記基地局によって、前記少なくとも一つ以上の下向きリンク送信ビームパターンに対応する識別子情報が成功的に受信される時、ＡＣＫ情報を前記基地局から受信する過程と、を含むことを特徴とする方法。
【請求項１０】
前記基地局によって、前記少なくとも一つ以上の下向きリンク送信ビームパターンに対応する識別子情報が成功的に受信されない時、
前記決定された一つ以上の上向きリンク送信ビームパターンを用いて、少なくとも一つ以上の下向きリンク送信ビームパターンに対応する識別子情報を前記基地局に再伝送する過程をさらに含むことを特徴とする、請求項９に記載の方法。
【請求項１１】
前記基地局によって、前記少なくとも一つ以上の下向きリンク送信ビームパターンに対応する識別子情報が成功的に受信されない時、
多数の上向きリンク基準信号を前記基地局に伝送する過程と、
前記基地局から、上向きリンク送信ビームパターンに対応する識別子情報を受信する過程と、
前記上向きリンク送信ビームパターンに対応する識別子情報の受信可否によってＡＣＫまたはＮＡＣＫを伝送する過程と、をさらに含むことを特徴とする、請求項９に記載の方法。
【請求項１２】
無線通信システムにおける基地局のビーム追跡方法であって、
端末に多数の下向きリンク基準信号を送信する過程と、
前記多数の下向きリンク基準信号に基づいて前記端末により決定された少なくとも一つ以上の下向きリンク送信ビームパターンに対応する識別子情報を前記端末から受信する過程と、
前記少なくとも一つ以上の下向きリンク送信ビームパターンに対応する識別子が成功的に受信される時、ＡＣＫ情報を前記端末に伝送する過程と、を含むことを特徴とする方法。
【請求項１３】
無線通信システムにおける端末のビーム追跡方法であって、
多数の上向きリンク基準信号を基地局に伝送する過程と、
前記基地局から、前記多数の上向きリンク基準信号に基づいて上向きリンク送信ビームパターンに対応する識別子情報を受信する過程と、
前記上向きリンク送信ビームパターンに対応する識別子情報の受信可否によってＡＣＫまたはＮＡＣＫを伝送する過程と、を含むことを特徴とする方法。
【請求項１４】
前記基地局によって、上向きリンク送信ビームパターンに対応する識別子情報が成功的に検出されない場合、
基地局から多数の下向きリンク基準信号を受信して少なくとも一つ以上の下向きリンク送信ビームパターンを決定する過程と、
前記少なくとも一つ以上の下向きリンク送信パターンに対応する識別子情報を前記基地局に伝送する過程と、
多数の上向きリンク基準信号を基地局に伝送する過程と、
前記基地局から、前記多数の上向きリンク基準信号に基づいて上向きリンク送信ビームパターンに対応する識別子情報を受信する過程と、をさらに含むことを特徴とする、請求項１３に記載の方法。
【請求項１５】
無線通信システムにおける基地局のビーム追跡方法であって、
多数の上向きリンク基準信号を端末から受信する過程と、
前記多数の上向きリンク基準信号に基づいて上向きリンク送信ビームパターンに対応する識別子情報を前記端末に伝送する過程と、
前記上向きリンク送信ビームパターンに対応する識別子情報の受信可否によってＡＣＫまたはＮＡＣＫを受信する過程と、を含むことを特徴とする方法。
【発明の詳細な説明】
【技術分野】
【０００１】
本発明は、一般的に無線通信システムに関し、特に、無線通信システムにおけるビーム追跡方法及び装置に関する。
【背景技術】
【０００２】
無線通信システムは、続けて増加する無線データトラフィックの需要を満たすため、より高いデータ伝送率を支援するための方向に発展してきた。
【０００３】
現在までの４Ｇシステムは、データ伝送率の増加のために主に周波数の効率性(ｓｐｅｃｔｒａｌ ｅｆｆｉｃｉｅｎｃｙ)を改善する方向で技術開発を追求したが、このような周波数の効率性改善技術だけでは急増する無線データトラフィックの需要を満たすのが困難になった。
【０００４】
このような問題点を解決するための一つの方法は、非常に広い周波数帯域を使用することであるが、現在、使用している周波数(１０ＧＨｚ以下)では広い周波数帯域の確保が非常に難しいので、より高い周波数帯域を確保すべき必要性がある。
【０００５】
しかし、無線通信のための伝送周波数が高ければ高いほど電波の到達距離は相対的に短くなってサービス領域(ｃｏｖｅｒａｇｅ)の減少を招くことになる。これを解決するための、すなわち、電波の伝達距離を増加させるための重要技術の一つがビームフォーミング(ｂｅａｍ  ｆｏｒｍｉｎｇ)技術である。
【０００６】
送信ビームフォーミングは、一般的に多数のアンテナを用いて電波の到達領域を特定の方向に集中させる方法である。多数のアンテナが集合した形態をアンテナ配列(ａｎｔｅｎｎａ ａｒｒａｙ)、配列に含まれているアンテナを配列要素(ａｒｒａｙ ｅｌｅｍｅｎｔ)とする。送信ビームフォーミングを使用すると、信号の伝送距離を増加させることができ、また、該当方向以外の他の方向には信号が殆ど伝送されないために他のユーザー信号からの干渉が非常に減少するメリットがある。
【０００７】
一方、受信側でも受信アンテナ配列を用いて受信ビームフォーミングを行なうことができるが、前記受信ビームフォーミングも電波の受信を特定の方向に集中させて該当方向に入ってくる信号の利得(ｇａｉｎ)を増加させ、また、該当方向以外の方向に入ってくる信号を受信信号から排除することにより干渉信号を遮断する。
【０００８】
このようなビームフォーミングを使用するためには、基本的に基地局と端末で送・受信ビームを効率的に選択(ｂｅａｍ ｓｅｌｅｃｔｉｏｎ)する技術が必要である。また、送・受信ビーム設定過程において特定の誤りによってビームを正しく設定できなければ、周波数の効率性の低下が発生しうるので、基地局が誤りの状況を制御できるようにして安定的なビーム追跡方法を提供しなければならない。
【０００９】
したがって、無線通信システムにおける送受信ビームフォーミングを効率的に選択するためのビーム追跡方法及び装置が必要である。
【００１０】
前記情報は、本発明の理解を助けるため、背景情報として提供される。前記本発明に関する先行技術として適用できるか否かに対して決定することはできず、また、主張することはできない。
【発明の概要】
【発明が解決しようとする課題】
【００１１】
本発明の特徴は、少なくとも前述の問題点及び/又は短所を解決し、また少なくとも後述する利点を提供する。本発明の目的は、無線通信システムにおける効率的なビーム追跡方法及び装置を提供することにある。
【００１２】
前記目的を達成するための本発明の第１見地によれば、無線通信システムにおける端末のビーム追跡方法において、基地局から多数の下向きリンク基準信号を受信して少なくとも一つ以上の下向きリンク送信ビームパターンを決定する過程と、前記決定された少なくとも一つ以上の下向きリンク送信ビームパターンに対応する識別子情報を含む多数の上向きリンク基準信号を前記基地局に伝送する過程と、前記基地局から、上向きリンク送信ビームパターンに対応する識別子情報及び前記多数の上向きリンク基準信号から前記少なくとも一つ以上の下向きリンク送信ビームパターンに対応する識別子が前記基地局で成功的に受信されたことを指示するＡＣＫ情報を受信する過程と、を含むことを特徴とする。
【００１３】
様々な実施例において、前記多数の上向きリンク基準信号から前記少なくとも一つ以上の下向きリンク送信ビームパターンに対応する識別子が前記基地局で成功的に受信できなかったことを指示するＮＡＣＫ情報を受信する時、前記下向きリンク送信ビームパターンは広いビームパターンが利用されるか、又は以前に受信した少なくとも一つ以上の下向きリンク送信ビームパターンが利用されうる。
【００１４】
前記目的を達成するための本発明の第２見地によれば、無線通信システムにおける基地局のビーム追跡方法において、端末に多数の下向きリンク基準信号を送信する過程と、前記多数の下向きリンク基準信号に基づいて前記端末により決定された少なくとも一つ以上の下向きリンク送信ビームパターンに対応する識別子情報を含む多数の上向きリンク基準信号を前記端末から受信する過程と、前記多数の上向きリンク基準信号に基づいて決定された上向きリンク送信ビームパターンに対応する識別子情報及び前記少なくとも一つ以上の下向きリンク送信ビームパターンに対応する識別子が成功的に受信されたことを指示するＡＣＫ情報を伝送する過程と、を含むことを特徴とする。
【００１５】
様々な実施例において、前記多数の上向きリンク基準信号から前記少なくとも一つ以上の下向きリンク送信ビームパターンに対応する識別子が前記基地局で成功的に受信できなかったことを指示するＮＡＣＫ情報を受信する時、前記下向きリンク送信ビームパターンは広いビームパターンが利用されるか、又は以前に受信した少なくとも一つ以上の下向きリンク送信ビームパターンが利用されうる。
【００１６】
前記目的を達成するための本発明の第３見地によれば、無線通信システムにおける端末のビーム追跡方法において、基地局から多数の下向きリンク基準信号を受信して少なくとも一つ以上の下向きリンク送信ビームパターンを決定する過程と、前記決定された一つ以上の上向きリンク送信ビームパターンを用いて、少なくとも一つ以上の下向きリンク送信パターンに対応する識別子情報を前記基地局に伝送する過程と、前記基地局によって、前記少なくとも一つ以上の下向きリンク送信ビームパターンに対応する識別子情報が成功的に受信される時、ＡＣＫ情報を前記基地局から受信する過程と、を含むことを特徴とする。
【００１７】
前記目的を達成するための本発明の第４見地によれば、無線通信システムにおける基地局のビーム追跡方法において、端末に多数の下向きリンク基準信号を送信する過程と、前記多数の下向きリンク基準信号に基づいて前記端末により決定された少なくとも一つ以上の下向きリンク送信ビームパターンに対応する識別子情報を前記端末から受信する過程と、前記少なくとも一つ以上の下向きリンク送信ビームパターンに対応する識別子が成功的に受信される時、ＡＣＫ情報を前記端末に伝送する過程と、を含むことを特徴とする。
【００１８】
前記目的を達成するための本発明の第５見地によれば、無線通信システムにおける端末のビーム追跡方法において、多数の上向きリンク基準信号を基地局に伝送する過程と、前記基地局から、前記多数の上向きリンク基準信号に基づいて上向きリンク送信ビームパターンに対応する識別子情報を受信する過程と、前記上向きリンク送信ビームパターンに対応する識別子情報の受信可否によってＡＣＫまたはＮＡＣＫを伝送する過程と、を含むことを特徴とする。
【００１９】
様々な実施例において、前記方法は前記基地局によって、上向きリンク送信ビームパターンに対応するインデックス情報が成功的に検出されない場合、多数の上向きリンク基準信号を基地局に再伝送する過程と、前記基地局から、前記多数の上向きリンク基準信号に基づいて上向きリンク送信ビームパターンに対応する識別子情報を再受信する過程と、をさらに含むことができる。
【００２０】
前記目的を達成するための本発明の第６見地によれば、無線通信システムにおける基地局のビーム追跡方法において、多数の上向きリンク基準信号を端末から受信する過程と、前記多数の上向きリンク基準信号に基づいて上向きリンク送信ビームパターンに対応する識別子情報を前記端末に伝送する過程と、前記上向きリンク送信ビームパターンに対応する識別子情報の受信可否によってＡＣＫまたはＮＡＣＫを受信する過程と、を含むことを特徴とする。
【００２１】
前記目的を達成するための本発明の第７見地によれば、無線通信システムにおける端末のビーム追跡装置において、基地局から多数の下向きリンク基準信号を受信して少なくとも一つ以上の下向きリンク送信ビームパターンを決定する制御部と、前記決定された少なくとも一つ以上の下向きリンク送信ビームパターンに対応する識別子情報を含む多数の上向きリンク基準信号を前記基地局に伝送する送信部と、前記基地局から、上向きリンク送信ビームパターンに対応する識別子情報及び前記多数の上向きリンク基準信号から前記少なくとも一つ以上の下向きリンク送信ビームパターンに対応する識別子が前記基地局で成功的に受信されたことを指示するＡＣＫ情報を受信する受信部と、を含むことを特徴とする。
【００２２】
様々な実施例において、前記送信部は、前記上向きリンク送信ビームパターンに対応する識別子情報を前記基地局から成功的に検出する時、ＡＣＫ情報を前記基地局に伝送し、前記上向きリンク送信ビームパターンに対応する識別子情報を前記基地局から成功的に検出できない場合、ＮＡＣＫ情報を前記基地局にさらに伝送することができる。
【００２３】
様々な実施例において、前記制御部は、前記基地局から、上向きリンク送信ビームパターンに対応する識別子情報を成功的に検出し、前記受信部は、前記多数の上向きリンク基準信号から前記少なくとも一つ以上の下向きリンク送信ビームパターンに対応する識別子が前記基地局で成功的に受信できなかったことを指示するＮＡＣＫ情報を受信する時、以前の多数の上向きリンク送信ビームパターンに基づいて前記少なくとも一つ以上の下向きリンク送信ビームパターンに対応する識別子を前記基地局から再受信することができる。
【００２４】
様々な実施例において、前記送信部は、前記基地局から、上向きリンク送信ビームパターンに対応する識別子情報を成功的に検出できず、前記多数の上向きリンク基準信号から前記少なくとも一つ以上の下向きリンク送信ビームパターンに対応する識別子が前記基地局で成功的に受信できなかったことを指示するＮＡＣＫ情報を受信する時、前記決定された少なくとも一つ以上の下向きリンク送信ビームパターンに対応する識別子情報を含む多数の上向きリンク基準信号を前記基地局に再伝送し、前記受信部は、前記基地局から、上向きリンク送信ビームパターンに対応する識別子情報及び前記多数の上向きリンク基準信号から前記少なくとも一つ以上の下向きリンク送信ビームパターンに対応する識別子が前記基地局で成功的に受信されたことを指示するＡＣＫ情報を再受信することができる。
【００２５】
様々な実施例において、前記制御部は、前記多数の上向きリンク基準信号から前記少なくとも一つ以上の下向きリンク送信ビームパターンに対応する識別子が前記基地局で成功的に受信できなかったことを指示するＮＡＣＫ情報を受信する時、前記下向きリンク送信ビームパターンは広いビームパターンが利用されるか、又は以前に受信した少なくとも一つ以上の下向きリンク送信ビームパターンを利用することができる。
【００２６】
前記目的を達成するための本発明の第８見地によれば、無線通信システムにおける基地局のビーム追跡装置において、端末に多数の下向きリンク基準信号を送信する送信部と、前記多数の下向きリンク基準信号に基づいて前記端末により決定された少なくとも一つ以上の下向きリンク送信ビームパターンに対応する識別子情報を含む多数の上向きリンク基準信号を前記端末から受信する受信部を含み、前記送信部は、前記多数の上向きリンク基準信号に基づいて決定された上向きリンク送信ビームパターンに対応する識別子情報及び前記少なくとも一つ以上の下向きリンク送信ビームパターンに対応する識別子が成功的に受信されたことを指示するＡＣＫ情報を伝送することを特徴とする。
【００２７】
様々な実施例において、前記受信部は、前記端末により前記上向きリンク送信ビームパターンに対応する識別子情報が成功的に検出される場合、ＡＣＫ情報を前記端末から受信し、前記送信部は、前記端末により前記上向きリンク送信ビームパターンに対応する識別子情報を成功的に検出できない場合、ＮＡＣＫ情報を前記端末から受信することができる。
【００２８】
様々な実施例において、前記送信部は、前記上向きリンク送信ビームパターンに対応する識別子情報を成功的に検出し、前記多数の上向きリンク基準信号から前記少なくとも一つ以上の下向きリンク送信ビームパターンに対応する識別子が成功的に受信できなかったことを指示するＮＡＣＫ情報を伝送する時、以前の多数の上向きリンク送信ビームパターンに基づいて、前記少なくとも一つ以上の下向きリンク送信ビームパターンに対応する識別子を前記端末に再伝送することができる。
【００２９】
様々な実施例において、前記受信部は、上向きリンク送信ビームパターンに対応する識別子情報を成功的に検出できず、前記多数の上向きリンク基準信号から前記少なくとも一つ以上の下向きリンク送信ビームパターンに対応する識別子が成功的に受信できなかったことを指示するＮＡＣＫ情報を伝送する時、前記決定された少なくとも一つ以上の下向きリンク送信ビームパターンに対応する識別子情報を含む多数の上向きリンク基準信号を再受信し、前記送信部は、上向きリンク送信ビームパターンに対応する識別子情報及び前記多数の上向きリンク基準信号から前記少なくとも一つ以上の下向きリンク送信ビームパターンに対応する識別子が成功的に受信されたことを指示するＡＣＫ情報を再び前記端末に再伝送することができる。
【００３０】
様々な実施例において、前記多数の上向きリンク基準信号から前記少なくとも一つ以上の下向きリンク送信ビームパターンに対応する識別子が成功的に受信できなかったことを指示するＮＡＣＫ情報を受信する時、前記下向きリンク送信ビームパターンは広いビームパターンが利用されるか、又は、以前に受信した少なくとも一つ以上の下向きリンク送信ビームパターンが利用されうる。
【００３１】
前記目的を達成するための本発明の第９見地によれば、無線通信システムにおける端末のビーム追跡装置において、一つ以上の上向きリンク送信ビームパターン及び一つ以上の上向きリンク受信ビームパターンを決定し、基地局から多数の下向きリンク基準信号を受信して少なくとも一つ以上の下向きリンク送信ビームパターンを決定する制御部と、前記決定された一つ以上の上向きリンク送信ビームパターンを用いて、少なくとも一つ以上の下向きリンク送信パターンに対応する識別子情報を前記基地局に伝送する送信部と、前記基地局によって、前記少なくとも一つ以上の下向きリンク送信ビームパターンに対応する識別子情報が成功的に受信される時、ＡＣＫ情報を前記基地局から受信する受信部を含むことを特徴とする。
【００３２】
様々な実施例において、前記送信部は、前記基地局によって、前記少なくとも一つ以上の下向きリンク送信ビームパターンに対応する識別子情報が成功的に受信されない時、前記決定された一つ以上の上向きリンク送信ビームパターンを用いて、少なくとも一つ以上の下向きリンク送信ビームパターンに対応する識別子情報を前記基地局に再伝送することができる。
【００３３】
様々な実施例において、前記基地局によって、前記少なくとも一つ以上の下向きリンク送信ビームパターンに対応する識別子情報が成功的に受信されない時、前記送信部は、多数の上向きリンク基準信号を前記基地局に伝送し、前記受信部は、前記基地局から、上向きリンク送信ビームパターンに対応する識別子情報を受信し、前記送信部は、前記上向きリンク送信ビームパターンに対応する識別子情報の受信可否によってＡＣＫまたはＮＡＣＫを伝送することができる。
【００３４】
前記目的を達成するための本発明の第１０見地によれば、無線通信システムにおける基地局のビーム追跡装置において、端末に多数の下向きリンク基準信号を送信する送信部と、前記多数の下向きリンク基準信号に基づいて前記端末により決定された少なくとも一つ以上の下向きリンク送信ビームパターンに対応する識別子情報を前記端末から受信する受信部を含み、前記送信部は、前記少なくとも一つ以上の下向きリンク送信ビームパターンに対応する識別子が成功的に受信される時、ＡＣＫ情報を前記端末に伝送することを特徴とする。
【００３５】
前記目的を達成するための本発明の第１１見地によれば、無線通信システムにおける端末のビーム追跡装置において、多数の上向きリンク基準信号を基地局に伝送する送信部と、前記基地局から、前記多数の上向きリンク基準信号に基づいて上向きリンク送信ビームパターンに対応する識別子情報を受信する受信部を含み、前記送信部は、前記上向きリンク送信ビームパターンに対応する識別子情報の受信可否によってＡＣＫまたはＮＡＣＫを伝送することを特徴とする。
【００３６】
様々な実施例において、前記基地局によって、上向きリンク送信ビームパターンに対応する識別子情報が成功的に検出されない場合、前記送信部は多数の上向きリンク基準信号を基地局に再伝送する過程と、前記受信部は前記基地局から、前記多数の上向きリンク基準信号に基づいて上向きリンク送信ビームパターンに対応する識別子情報を再受信することができる。
【００３７】
様々な実施例において、前記基地局によって、上向きリンク送信ビームパターンに対応する識別子情報が成功的に検出されない時、前記制御部は基地局から多数の下向きリンク基準信号を受信して少なくとも一つ以上の下向きリンク送信ビームパターンを決定し、前記送信部は前記少なくとも一つ以上の下向きリンク送信パターンに対応する識別子情報を前記基地局に伝送し、多数の上向きリンク基準信号を基地局に伝送し、前記受信部は前記基地局から、前記多数の上向きリンク基準信号に基づいて上向きリンク送信ビームパターンに対応する識別子情報を受信することができる。
【００３８】
前記目的を達成するための本発明の第１２見地によれば、無線通信システムにおける基地局のビーム追跡装置において、多数の上向きリンク基準信号を端末から受信する受信部と、前記多数の上向きリンク基準信号に基づいて上向きリンク送信ビームパターンに対応する識別子情報を前記端末に伝送する送信部を含み、前記受信部は、前記上向きリンク送信ビームパターンに対応する識別子情報の受信可否によってＡＣＫまたはＮＡＣＫを受信することを特徴とする。
本発明の様々な実施例の他に、他の側面、特徴及び長所は添付された図面と共に次の詳細な説明からより明白になるだろう。
図面において、参照符号は同一の部品、構成要素及び構造を指すものと理解されるだろう。
【図面の簡単な説明】
【００３９】
【図１】本発明の第１実施例による下向きリンクと上向きリンクに対するビーム設定を同時に行なう手順を示す。
【図２】本発明の第２実施例による下向きリンクと上向きリンクに対するビーム設定をそれぞれ行う場合、下向きリンクビームの設定に対する手順を示す。
【図３】本発明の第３実施例による下向きリンクと上向きリンクに対するビーム設定をそれぞれ行う場合、上向きリンクビームの設定に対する手順を示す。
【図４】本発明の第１実施例による下向きリンクと上向きリンクに対するビームの設定を行なう端末動作フローチャートを示す。
【図５】本発明の第２実施例による下向きリンクと上向きリンクに対するビームの設定を行なう基地局動作フローチャートを示す。
【図６ａ】本発明の実施例による基地局と端末との間の送受信ビームパターンを示す。
【図６ｂ】本発明の実施例による基地局と端末との間の送受信ビームパターンを示す。
【図７】本発明の実施例による下向きリンクと上向きリンクに対するビーム設定のための装置を示す。
【図８】本発明の第２実施例による下向きリンクと上向きリンクに対するビームの設定を行なう端末動作フローチャートを示す。
【図９】本発明の第２実施例による下向きリンクと上向きリンクに対するビームの設定を行なう基地局動作フローチャートを示す。
【図１０】本発明の第３実施例による下向きリンクと上向きリンクに対するビームの設定を行なう端末動作フローチャートを示す。
【図１１】本発明の第３実施例による下向きリンクと上向きリンクに対するビームの設定を行なう基地局動作フローチャートを示す。
【発明を実施するための形態】
【００４０】
以下、本発明の望ましい実施例を添付された図面の参照と共に詳しく説明する。また、本発明を説明することにおいて、関連された公知機能、または構成に対する具体的な説明が本発明の要旨を不要に混乱させうると判断された場合、その詳細な説明は省略する。また、後述する用語は本発明での機能を考慮して定義された用語であって、これは使用者、運用者の意図、または慣例などによって異なりうる。したがって、その定義は本明細書の全般にわたる内容に基づいて下されなければならないだろう。
【００４１】
以下、本発明は、無線通信システムにおけるビーム追跡方法及び装置に関して説明する。
【００４２】
以下、本発明では３つの場合に対するビーム追跡方法を提案する。しかし、本発明はこれに限定されず、他の類似の装置と本発明による無線通信システムにおけるビームを追跡する方法が使用され得る。第１の方法は下向きリンク(ｄｏｗｎｌｉｎｋ)と上向きリンク(ｕｐｌｉｎｋ)に対するビーム設定を同時に行なう方法である。第２の方法は下向きリンクと上向きリンクに対するビーム設定をそれぞれ行う場合、下向きリンクビームの設定に対する方法である。この場合、端末はＱ個の最適化された上向きリンク送信ビームを知っていて、基地局は一つまたはそれ以上の最適化された上向きリンク受信ビームを知っていると仮定する。第３の方法は下向きリンクと上向きリンクに対するビーム設定をそれぞれ行う場合の上向きリンクビームの設定に対する方法である。この場合、基地局は、Ｐ個の最適化された下向きリンク送信ビームを知っていて、端末は一つまたはそれ以上の最適化された下向きリンク受信ビームを知っていると仮定する。
【００４３】
図１は、本発明の第１実施例による下向きリンクと上向きリンクに対するビーム設定を同時に行なう手順を示す。
【００４４】
前記図１を参照すると、ステップ１００において基地局は、端末が一つまたはそれ以上の最適化された下向きリンク送/受信ビームを選択できるように、下向きリンク基準信号(ｒｅｆｅｒｅｎｃｅ ｓｉｇｎａｌ)信号をＮ回繰り返して伝送する。ここで、Ｎ＝Ｎｔｘ×Ｎｒｘであり、Ｎｔｘは基地局がビームの方向を変化させて伝送する送信ビームの個数を意味し、Ｎｒｘは端末の受信ビーム選択のため、基地局が特定の送信ビームを繰り返して伝送する回数を示す。Ｎｔｘ、Ｎｒｘは、変更可能なシステム情報であって基地局が放送チャンネルなどを通じて端末に知らせることができる。前記下向きリンク基準信号は同期信号、プリアンブル信号、パイロット信号など信号の品質を測定できる信号であることもある。
【００４５】
例えば、図６ａのように、基地局でＫ個の送信ビームパターンを生成することができ、端末からＬ個の受信ビームパターンを生成できれば、前記基地局は、特定の時間区間に計Ｋ*Ｌ個の下向きリンク基準信号を前記端末に伝送しなければならない。
【００４６】
一方、前記下向きリンク基準信号をＮ回繰り返して受信した端末は、前記下向きリンク基準信号を通じてＰ個の最適化された下向きリンク送/受信ビームペア(ｐａｉｒ)を測定して選択する。例えば、図６ａにおいて、前記端末は計Ｎ*Ｎ個の送受信ビームペアの少なくとも一つ以上の下向きリンク送受信ビームペアを選択することができる。前記図６ａで基地局の送信ビーム#３と端末の受信ビーム#３ペアが最適化された下向きリンク送/受信ビームペアとなりうる。
【００４７】
以後、ステップ１０２において前記端末はＰ個の最適化された下向きリンク送信ビームインデックス情報を含む上向きリンク基準信号をＭ回繰り返して基地局に伝送する。例えば、前記基準信号に対応するシーケンスが下向きリンク送信ビームインデックス情報とマッピングされうる。
【００４８】
ここで、Ｍ＝Ｍｔｘ×Ｍｒｘであり、Ｍｔｘは端末がビームの方向を変化させて伝送する送信ビームの個数を意味し、Ｍｒｘは基地局の受信ビーム選択のために端末が特定の送信ビームを繰り返して伝送する回数を示す。Ｍｔｘ、Ｍｒｘは変更可能なシステム情報であって基地局が放送チャンネルなどを通じて端末に知らせることができる。また、下向きリンク/上向きリンクチャンネル相互関係(ｃｈａｎｎｅｌ  ｒｅｃｉｐｒｏｃｉｔｙ)を仮定する場合、Ｍｔｘは１と設定することができる。前記上向きリンク基準信号はアクセス信号、サウンディング信号、パイロット信号など信号の品質を測定できる信号を示す。
【００４９】
例えば、図６ｂのように、端末でＬ個の送信ビームパターンを生成することができ、基地局でＫ個の受信ビームパターンを生成することができれば、前記端末は特定の時間区間に計Ｎ*Ｎ個の上向きリンク基準信号を前記基地局に伝送しなければならない。
【００５０】
具現によって、基地局の送信ビームパターン数と受信ビームパターン数は同一、または相違することがあり、同様に端末の送信ビームパターン数と受信ビームパターン数は同一、または相違することがある。
【００５１】
一方、前記端末はステップ１０２において前記上向きリンク基準信号を伝送する時、以前にステップ１０４で前記基地局が伝送したＡＣＫ/ＮＡＣＫ応答に基づいて上向きリンク送信ビームの方向、幅などを調整することができる。例えば、直前の前記端末が伝送した上向きリンク基準信号に対して前記基地局からＡＣＫ応答が来る場合、前記端末は直前に前記基地局からフィードバックされた最適化された上向きリンク送信ビーム幅よりさらに狭い幅の細密なビーム(ｎａｒｒｏｗ  ｂｅａｍ)で上向きリンク基準信号を伝送することができる。もし、直前に前記端末が伝送した上向きリンク基準信号に対してＮＡＣＫ応答が来る場合、前記端末は初期の伝送において利用される広い幅のビーム(ｗｉｄｅ  ｂｅａｍ)で前記上向きリンク基準信号を伝送することができる。
【００５２】
ステップ１０４において、前記基地局は、前記端末が伝送した上向きリンク基準信号を通じてＱ個の最適化された上向きリンク送・受信ビームペア(ｐａｉｒ)を測定して選択する。また、前記上向きリンク基準信号に含まれている最適化された下向きリンク送信ビームインデックスを検出(ｄｅｔｅｃｔ)(ｓｅｑｕｅｎｃｅ−ｂａｓｅｄ)、またはデコード(ｄｅｃｏｄｉｎｇ)(ｍｅｓｓａｇｅ−ｂａｓｅｄ  ｗｉｔｈ  ＣＲＣ)する。すなわち、前記上向きリンク基準信号は、下向きリンク送信ビームインデックスに該当するシーケンスから構成されるか、又は別途のＣＲＣが添付されたメッセージから構成されうる。
【００５３】
また、ステップ１０４において、前記基地局がＰ個の最適化された下向きリンク送信ビームを成功的に取得し、また、Ｑ個の最適化された上向きリンク送信ビームを成功的に検出(ｄｅｔｅｃｔ  ｏｒ  ｍｅａｓｕｒｅ)した場合、前記基地局は、一つまたはそれ以上の最適化された下向きリンク送信ビームを通じて端末にＱ個の最適化された上向きリンク送信ビームインデックスとＡＣＫ情報を前記端末に伝送する。ここで、前記ＡＣＫ情報は、前記上向きリンク基準信号を通じて伝送されたＰ個の最適化された下向きリンク送信ビームを成功的に受信したことに対する回答である。
【００５４】
もし、ステップ１０４において、前記基地局がＰ個の最適化された下向きリンク送信ビームの受信に失敗し、Ｑ個の最適化された上向きリンク送信ビームを成功的に検出した場合、前記基地局は、端末にＱ個の最適化された上向きリンク送信ビームインデックスとＮＡＣＫ情報を前記端末に伝送する。また、前記基地局は、端末に以前に受信したＱ個の最適化された上向きリンク送信ビームに基づいてＰ個の最適化された下向きリンク送信ビームインデックスを再伝送するように命令することができる。
【００５５】
又は、ステップ１０４において、前記基地局がＰ個の最適化された下向きリンク送信ビームの受信に失敗し、Ｑ個の最適化された上向きリンク送信ビーム検出も失敗した場合、前記基地局は端末にＮＡＣＫ情報を伝送し、前記端末にステップ１０２を再び行うように命令することができる。また、前記基地局の命令なしに端末は特定タイマーに基づいてステップ１０２から再び行うことができる。
【００５６】
具現によって、ステップ１０４でＡＣＫ/ＮＡＣＫ伝送は省略することができる。
【００５７】
一方、ＮＡＣＫ伝送の際、前記基地局は、現時点に前記端末が伝送したＰ個の最適化された下向きリンク送信ビームがわからないので、幅の広いビーム(ｗｉｄｅ  ｂｅａｍ)を利用したり、以前に成功的に受信したＰ個の最適化された下向きリンク送信ビームを利用することができる。下向きリンク/上向きリンクに対するチャンネル相互関係(ｃａｎｎｅｌ  ｒｅｃｉｐｒｏｃｉｔｙ)を仮定する場合は、限定的に一つまたはそれ以上の最適化された上向きリンク受信ビームを用いて検出できなかった下向きリンク送信ビームの代わりに下向きリンク送信ビームを類推することができる。
【００５８】
以後、ステップ１０６において、前記端末が、前記基地局が伝送したＱ個の最適化された上向きリンク送信ビームインデックスを成功的に受信した場合、前記端末は、その値を保存し、更新して前記基地局にＡＣＫ信号を送る。
【００５９】
もし、前記端末が、前記基地局が伝送したＱ個の最適化された上向きリンク送信ビームインデックス受信に失敗した場合、前記端末はＮＡＣＫ信号を伝送するか(前記端末が失敗を認知する場合)、又は何の信号も送らない。
【００６０】
前記ＮＡＣＫを伝送する場合、前記端末は現時点に前記基地局が伝送したＱ個の最適化された上向きリンク送信ビームがわからないので、幅がさらに広いビームを利用したり、以前に成功的に受信したＱ個の最適化された上向きリンク送信ビームを利用することができる。下向きリンク/上向きリンクに対するチャンネル相互関係(ｃａｎｎｅｌ  ｒｅｃｉｐｒｏｃｉｔｙ)を仮定する場合は、一つまたはそれ以上の最適化された上向きリンク受信ビームを利用することができる。
【００６１】
また、ステップ１０６において前記基地局が、端末が伝送したＡＣＫ/ＮＡＣＫ信号をＮＡＣＫと判定する場合、前記基地局は、端末にステップ１０４から繰り返すように命令することができる。
【００６２】
図２は、本発明の第２実施例による下向きリンクと上向きリンクに対するビーム設定をそれぞれ行う場合、下向きリンクビームの設定に対する手順を示す。
【００６３】
前記図２を参照すると、ステップ２００において、基地局は、端末が一つまたはそれ以上の最適化された下向きリンク送/受信ビームを選択できるように、下向きリンク基準信号をＮ回繰り返して伝送する。ここで、Ｎ＝Ｎｔｘ×Ｎｒｘであり、Ｎｔｘは基地局がビームの方向を変化させて伝送する送信ビームの個数を意味し、Ｎｒｘは端末の受信ビーム選択のために基地局が特定の送信ビームを繰り返して伝送する回数を示す。Ｎｔｘ、Ｎｒｘは変更可能なシステム情報であって基地局が放送チャンネルなどを通じて端末に知らせることができる。前記下向きリンク基準信号は同期信号、プリアンブル信号、パイロット信号など信号の品質を測定できる信号を示す。
【００６４】
この時、ステップ２００において、前記端末は下向きリンク基準信号を通じてＰ個の最適化された下向きリンク送/受信ビームペア(ｐａｉｒ)を測定して選択する。
【００６５】
以後、ステップ２０２において、前記端末はＰ個の最適化された下向きリンク送信ビーム情報を一つ以上の既定の上向きリンク送信ビームを利用して前記基地局に伝送する。
【００６６】
この時、前記基地局は、Ｐ個の最適化された下向きリンク送信ビーム情報を検出(ｓｅｑｕｅｎｃｅ−ｂａｓｅｄ)またはデコード(ｍｅｓｓａｇｅ−ｂａｓｅｄ  ｗｉｔｈ  ＣＲＣ)する。
【００６７】
以後、ステップ２０４において、Ｐ個の最適化された下向きリンク送信ビーム情報取得に成功した場合、前記基地局は、前記端末にＡＣＫ信号を伝送する。
【００６８】
もし、Ｐ個の最適化された下向きリンク送信ビーム情報取得に失敗した場合、前記基地局は、端末にＮＡＣＫ信号を伝送し、前記端末にＰ個の最適化された下向きリンク送信ビーム情報の再伝送を要請する(すなわち、ステップ２０２に進む)。
【００６９】
他の具現において、Ｐ個の最適化された下向きリンク送信ビーム情報取得に失敗した場合、前記基地局は、端末にＮＡＣＫ信号を伝送し、前記図１のステップ１０２ないしステップ１０６を行うことができる。
【００７０】
さらに他の具現において、下記図３を行なった後、前記図２のステップ２００ないしステップ２０４を行うことができる。
【００７１】
図３は、本発明の第３実施例による下向きリンクと上向きリンクに対するビーム設定をそれぞれ行う場合、上向きリンクビームの設定に対する手順を示す。
【００７２】
前記図３を参照すると、ステップ３００において、端末は上向きリンク基準信号をＭ回繰り返して基地局に伝送する。ここで、Ｍ＝Ｍｔｘ×Ｍｒｘであり、Ｍｔｘは端末がビームの方向を変化させて伝送する送信ビームの個数を意味し、Ｍｒｘは基地局の受信ビーム選択のために、端末が特定の送信ビームを繰り返して伝送する回数を示す。Ｍｔｘ、Ｍｒｘは変更可能なシステム情報であって基地局が放送チャンネルなどを通じて端末に知らせることができる。また、下向きリンク/上向きリンクのチャンネル相互関係(ｃｈａｎｎｅｌ  ｒｅｃｉｐｒｏｃｉｔｙ)を仮定する場合、Ｍｔｘは１と設定することができる。上向きリンク基準信号は、アクセス信号、サウンディング信号、パイロット信号など信号の品質を測定できる信号を示す。
【００７３】
前記端末は、上向きリンク基準信号を伝送する時、前記図２で前記基地局が伝送するＡＣＫ/ＮＡＣＫ応答に基づいて上向きリンク送信ビームの方向、幅などを調節することができる。例えば、以前下向きリンクビームトラッキング(ｔｒａｃｋｉｎｇ)過程で(前記図２のステップ２０４)前記端末が伝送したビームインデックスフィードバック信号に対してＡＣＫ応答が受信される場合、前記端末は、以前の上向きリンクビームトラッキング過程で基地局からフィードバックされた最適化された上向きリンク送信ビームを中心としてさらに狭い幅の細密、かつ向上された利得を持つビームで上向きリンク基準信号を伝送することができる。もし、以前の下向きリンクビームトラッキングの過程で(前記図２のステップ２０４)前記端末が伝送したビームインデックスフィードバック信号に対してＮＡＣＫ応答が受信される場合、前記端末は初期伝送に利用された広い幅のビームで上向きリンク基準信号を伝送することができる。
【００７４】
この時、前記基地局は、上向きリンク基準信号を通じてＱ個の最適化された上向きリンク送/受信ビームペア(ｐａｉｒ)を測定して選択する。
【００７５】
以後、ステップ３０２において、前記基地局は前記ステップ３００でＱ個の最適化された上向きリンク送/受信ビーム測定に成功すれば、前記基地局はＡＣＫ情報とともにＱ個の最適化された上向きリンク送信ビーム情報を一つ以上の最適化された下向きリンク送信ビームを利用して基地局に伝送する。前記ステップ３００でＱ個の最適化された上向きリンク送/受信ビーム測定に失敗すれば(すなわち、一つの具現例によれば、上向きリンク基準信号の大きさが既定の特定臨界値を超えない場合)、前記基地局はＮＡＣＫ情報とともにステップ３００を再び実行することを前記端末に命令することができる。具現によって、ＡＣＫ/ＮＡＣＫ情報伝送は省略され得る。
【００７６】
以後、ステップ３０４において、前記端末が、前記基地局が伝送したＱ個の最適化された上向きリンク送信ビーム情報を成功的に受信した場合、前記端末はその値を保存し、更新して基地局にＡＣＫ信号を送る。もし、受信に失敗すれば、前記端末はＮＡＣＫ信号を送るか(端末が失敗を認知する場合)、又は何の信号も送らない。
【００７７】
この時、前記基地局は、前記端末からＮＡＣＫ応答を受信する場合、または基地局がＮＡＣＫと判断する場合、ステップ３０２に進み、再び行なう。
【００７８】
具現によって、前記基地局は、前記端末からＮＡＣＫ応答を受信する場合、または基地局がＮＡＣＫと判断する場合、前記図２のステップ２００ないしステップ２０４を行なった後、前記図３のステップ３００ないしステップ３０４を行うことができる。
【００７９】
図４は、本発明の実施例による下向きリンクと上向きリンクに対するビームの設定を行なう端末動作の手順を示す。
【００８０】
前記図４を参照すると、ステップ４００において、端末はステップ４００でＮ回にわたって下向きリンク基準信号(ｒｅｆｅｒｅｎｃｅ  ｓｉｇｎａｌ)信号を基地局から受信する。ここで、Ｎ＝Ｍｔｘ×Ｎｒｘであり、Ｎｔｘは基地局がビームの方向を変化させて伝送する送信ビームの個数を意味し、Ｎｒｘは端末の受信ビーム選択のために基地局が特定の送信ビームを繰り返して伝送する回数を示す。Ｎｔｘ、Ｎｒｘは変更可能なシステム情報であって基地局が放送チャンネルなどを通じて端末に知らせることができる。前記下向きリンク基準信号は同期信号、プリアンブル信号、パイロット信号など信号の品質を測定できる信号である。
【００８１】
例えば、図６ａのように、基地局でＮ個の送信ビームパターンを生成することができ、端末でＮ個の受信ビームパターンを生成することができれば、前記基地局は、特定の時間区間に計Ｎ*Ｎ個の下向きリンク基準信号を前記端末に伝送しなければならない。
【００８２】
以後、前記下向きリンク基準信号をＮ回繰り返して受信した端末はステップ４０２において、前記下向きリンク基準信号を通じてＰ個の最適化された下向きリンク送/受信ビームペア(ｐａｉｒ)を測定して選択する。例えば、図６ａにおいて前記端末は計Ｎ*Ｎ個の送受信ビームペアの少なくとも一つ以上の下向きリンク送受信ビームペアを選択することができる。前記図６ａで基地局の送信ビーム#３と端末の受信ビーム#３ペアが最適化された下向きリンク送/受信ビームペアとなりうる。
【００８３】
以後、ステップ４０４において、前記端末はＰ個の最適化された送信ビームインデックス情報を含む上向きリンク基準信号をＭ回繰り返して基地局に伝送する。例えば、前記基準信号に対応するシーケンスが送信ビームインデックス情報とマッピングされうる。ここで、Ｍ＝Ｍｔｘ×Ｍｒｘであり、Ｍｔｘは端末がビームの方向を変化させて伝送する送信ビームの個数を意味し、Ｍｒｘは基地局の受信ビーム選択のために端末が特定の送信ビームを繰り返して伝送する回数を示す。Ｍｔｘ、Ｍｒｘは変更可能なシステム情報であって基地局が放送チャンネルなどを通じて端末に知らせることができる。また、下向きリンク/上向きリンクチャンネル相互関係(ｃｈａｎｎｅｌ  ｒｅｃｉｐｒｏｃｉｔｙ)を仮定する場合、Ｍｔｘは１と設定することができる。前記上向きリンク基準信号はアクセス信号、サウンディング信号、パイロット信号など信号の品質を測定できる信号を示す。
【００８４】
例えば、図６ｂのように、端末でＮ個の送信ビームパターンを生成することができ、基地局でＮ個の受信ビームパターンを生成することができれば、前記端末は特定の時間区間に計Ｎ*Ｎ個の上向きリンク基準信号を前記基地局に伝送しなければならない。
【００８５】
具現によって、基地局の送信ビームパターン数と受信ビームパターン数は同一、または相違することがあり、同様に、端末の送信ビームパターン数と受信ビームパターン数は同一、または相違することがある。
【００８６】
一方、前記端末は、前記上向きリンク基準信号を伝送する時、以前に前記基地局が伝送したＡＣＫ/ＮＡＣＫ応答に基づいて上向きリンク送信ビームの方向、幅などを調節することができる。例えば、直前に前記端末が伝送した上向きリンク基準信号に対して前記基地局からＡＣＫ応答が来る場合、前記端末は直前の前記基地局からフィードバックされた最適化された上向きリンク送信ビーム幅よりさらに狭い幅の細密なビーム(ｎａｒｒｏｗ  ｂｅａｍ)で上向きリンク基準信号を伝送することができる。もし、直前の前記端末が伝送した上向きリンク基準信号に対してＮＡＣＫ応答が来る場合、前記端末は初期の伝送において利用される広い幅のビーム(ｗｉｄｅ  ｂｅａｍ)で前記上向きリンク基準信号を伝送することができる。
【００８７】
以後、前記端末はステップ４０６において、前記基地局により前記上向きリンク基準信号に含まれている最適化された下向きリンク送信ビームインデックスが成功的に検出され、前記上向きリンク基準信号に基づいてＱ個の上向きリンク送信ビームが成功的に検出される時、ステップ４０８に進み、前記基地局からＱ個の上向きリンク送信ビームインデックスを受信する。
【００８８】
もし、ステップ４０６において、前記基地局によってＰ個の最適化された下向きリンク送信ビームの受信が失敗し、Ｑ個の最適化された上向きリンク送信ビーム検出も失敗した場合、ステップ４０４に進み、前記端末はＰ個の最適化された送信ビームインデックス情報を含む上向きリンク基準信号をＭ回繰り返して基地局に再伝送する。さらに他の具現において、ステップ４０６において、前記基地局によってＰ個の最適化された下向きリンク送信ビームの受信が失敗し、Ｑ個の最適化された上向きリンク送信ビーム検出も失敗した場合、ステップ４００に進み、下向きリンク基準信号を再受信して処理する。
【００８９】
具現によって、前記基地局によってＰ個の最適化された下向きリンク送信ビームの受信が失敗し、Ｑ個の上向きリンク送信ビームが成功的に検出された時、以前にＱ個の最適化された上向きリンク送信ビームに基づいてＰ個の最適化された下向きリンク送信ビームインデックスを前記基地局に再伝送する。
【００９０】
以後、ステップ４１０において、前記端末が、前記基地局が伝送したＱ個の最適化された上向きリンク送信ビームインデックスを成功的に受信した場合、前記端末はステップ４１２に進み、その値を保存し、更新して前記基地局にＡＣＫ信号を送る。
【００９１】
もし、前記端末が、前記基地局が伝送したＱ個の最適化された上向きリンク送信ビームインデックスの受信に失敗した場合、ステップ４０８に進み、ＮＡＣＫ信号を伝送するか(前記端末が失敗を認知する場合)、又は何の信号も送らない。その時、前記端末はステップ４０６に進み、Ｑ個の最適化された上向きリンク送信ビームインデックスを前記基地局に再要請して受信する。
【００９２】
図５は、本発明の実施例による下向きリンクと上向きリンクに対するビームの設定を行なう基地局動作フローチャートを示す。
【００９３】
前記図５を参照すると、ステップ５００において、基地局は、端末が一つまたはそれ以上の最適化された下向きリンク送・受信ビームを選択できるように、下向きリンク基準信号をＮ回繰り返して伝送する。ここで、Ｎ＝Ｎｔｘ×Ｎｒｘであり、Ｎｔｘは基地局がビームの方向を変化させて伝送する送信ビームの個数を意味し、Ｎｒｘは端末の受信ビーム選択のために基地局が特定の送信ビームを繰り返して伝送する回数を示す。Ｎｔｘ、Ｎｒｘは変更可能なシステム情報であって基地局が放送チャンネルなどを通じて端末に知らせることができる。前記下向きリンク基準信号は同期信号、プリアンブル信号、パイロット信号など信号の品質を測定できる信号であることもある。
【００９４】
例えば、図６ａのように、基地局でＮ個の送信ビームパターンを生成することができ、端末でＮ個の受信ビームパターンを生成することができれば、前記基地局は、特定の時間区間に計Ｎ*Ｎ個の下向きリンク基準信号を前記端末に伝送しなければならない。
【００９５】
以後、前記基地局はステップ５０２において、Ｐ個の最適化された送信ビームインデックス情報を含む上向きリンク基準信号をＮ回にわたって前記端末から受信し、前記端末が伝送した上向きリンク基準信号を通じてＱ個の最適化された上向きリンク送・受信ビームペア(ｐａｉｒ)を測定して選択する。例えば、前記基準信号に対応するシーケンスが送信ビームインデックス情報とマッピングされうる。ここで、Ｍ＝Ｍｔｘ×Ｍｒｘであり、Ｍｔｘは端末が変化させて伝送する送信ビームの個数を意味し、Ｍｒｘは基地局の受信ビーム選択のために端末が特定の送信ビームを繰り返して伝送する回数を示す。Ｍｔｘ、Ｍｒｘは変更可能なシステム情報であって基地局が放送チャンネルなどを通じて端末に知らせることができる。また、下向きリンク/上向きリンクチャンネル相互関係(ｃｈａｎｎｅｌ  ｒｅｃｉｐｒｏｃｉｔｙ)を仮定する場合、Ｍｔｘは１と設定することができる。前記上向きリンク基準信号はアクセス信号、サウンディング信号、パイロット信号など信号の品質を測定できる信号を示す。
【００９６】
例えば、図６ｂのように、端末でＮ個の送信ビームパターンを生成することができ、基地局でＮ個の受信ビームパターンを生成することができれば、前記端末は計Ｎ*Ｎ個の上向きリンク基準信号を前記基地局に伝送しなければならない。
【００９７】
具現によって、基地局の送信ビームパターン数と受信ビームパターン数は同一、又は相違することがあり、同様に、端末の送信ビームパターン数と受信ビームパターン数は同一、または相違することがある。
【００９８】
以後、前記基地局はステップ５０４において、Ｑ個の最適化された上向きリンク送信ビームを成功的に検出されるかを判断して成功的に検出された時、Ｐ個の最適化された下向きリンク送信ビームが成功的に検出されるか判断し、成功的に検出された時、ステップ５０８に進み、前記基地局はステップ５０８に進み、一つまたはそれ以上の最適化された下向きリンク送信ビームを通じて端末にＱ個の最適化された上向きリンク送信ビームインデックスとＡＣＫ情報を前記端末に伝送する。ここで、前記ＡＣＫ情報は、前記上向きリンク基準信号を通じて伝送されたＰ個の最適化された下向きリンク送信ビームを成功的に受信したことに対する応答である。
【００９９】
もし、ステップ５０６において、前記基地局がＰ個の最適化された下向きリンク送信ビームの受信に失敗し、Ｑ個の最適化された上向きリンク送信ビームを成功的に検出した場合、ステップ５１０に進み、前記基地局は、端末にＱ個の最適化された上向きリンク送信ビームインデックスとＮＡＣＫ情報を前記端末に伝送する。また、前記基地局は、端末に以前に受信したＱ個の最適化された上向きリンク送信ビームに基づいてＰ個の最適化された下向きリンク送信ビームインデックスを再伝送するように命令することができる。
【０１００】
または、ステップ５０６において、前記基地局がＰ個の最適化された下向きリンク送信ビームの受信に失敗し、ステップ５０４において、Ｑ個の最適化された上向きリンク送信ビーム検出も失敗した場合、ステップ５０２に進み、Ｐ個の最適化された送信ビームインデックス情報を含む上向きリンク基準信号をＭ回にわたって前記端末から再受信し、前記端末が伝送した上向きリンク基準信号を通じてＱ個の最適化された上向きリンク送・受信ビームペア(ｐａｉｒ)を測定して選択する。他の具現によって、ステップ５０６において、前記基地局がＰ個の最適化された下向きリンク送信ビームの受信に失敗し、ステップ５０４において、Ｑ個の最適化された上向きリンク送信ビーム検出も失敗した場合、ステップ５００に進み、下向きリンク基準信号伝送ステップから再び開始することができる。
【０１０１】
以後、前記基地局は、ステップ５１０において、前記端末が伝送したＱ個の最適化された上向きリンク送信ビームインデックスを成功的に受信した場合、本発明の手順を終了する。
【０１０２】
もし、前記端末が伝送したＱ個の最適化された上向きリンク送信ビームインデックスの受信に失敗した場合、ステップ５０６に進み、Ｑ個の上向きリンク送信ビームインデックスを前記端末に再伝送する。
【０１０３】
図７は、本発明の実施例による下向きリンクと上向きリンクに対するビーム設定のための装置を示す。
【０１０４】
前記図７を参照すると、端末は、制御部７００、受信部７０２、及び送信部７０４を含んで構成され、同様に、基地局も制御部７１０、受信部７１４、及び送信部７１２を含んで構成される。
【０１０５】
前記受信部７０２、７１４は、多数のアンテナを通じて受信されるＲＦ（Ｒａｄｉｏ  Ｆｒｅｑｕｅｎｃｙ）信号をベースバンド信号処理する。
【０１０６】
例えば、ＯＦＤＭ方式を使用する場合、アナログ信号をサンプルデータに変換し、前記サンプルデータをＦＦＴ（Ｆａｓｔ  Ｆｏｕｒｉｅｒ  Ｔｒａｎｓｆｏｒｍ）して周波数領域のデータに変換し、前記周波数領域のデータで実際受信しようとする副搬送波のデータを選択して出力する。また、前記データを予め定められた変調水準(ＭＣＳレベル)によって復調(ｄｅｍｏｄｕｌａｔｉｏｎ)および復号(ｄｅｃｏｄｉｎｇ)して制御部７００、７１０に提供する。また他の一例として、ＣＤＭＡ方式を使用する場合、前記受信部７０２、７１４はデータをチャンネルデコード(ｃｈａｎｎｅｌ  ｄｅｃｏｄｉｎｇ)及び逆拡散(ｓｐｒｅａｄｉｎｇ)する機能を遂行することができる。
【０１０７】
前記送信部７０４、７１２はベースバンド信号をＲＦ（Ｒａｄｉｏ  Ｆｒｅｑｕｅｎｃｙ）信号に変換して送信する。例えば、前記送信部８０４，８１４は、前記制御部８００、８１０からのデータを予め定められた変調水準(ＭＣＳレベル)によって符号及び変調する。また、変調されたシンボルに対してＩＦＦＴ(Ｉｎｖｅｒｓｅ  Ｆａｓｔ  Ｆｏｕｒｉｅｒ  Ｔｒａｎｓｆｏｒｍ)してサンプルデータ(ＯＦＤＭシンボル)を出力し、前記サンプルデータをアナログ信号に変換し、前記アナログ信号をＲＦ（Ｒａｄｉｏ  Ｆｒｅｑｕｅｎｃｙ）信号に変換してアンテナを通じて送信する。
【０１０８】
さらに他の一例として、前記送信部７０４、７１２は送信するデータをチャンネルコーディング(ｃｈａｎｎｅｌｃｏｄｉｎｇ)及び拡散(ｓｐｒｅａｄｉｎｇ)する機能を遂行することができる。
【０１０９】
上述の構成において、前記制御部７００、７１０はプロトコル制御部であって、前記制御部７００は、全般的な端末の動作を制御し、前記制御部７１０は、全般的な基地局の動作を制御する。また、前記制御部７００、７１０は、プロトコル処理の遂行中に必要な情報を物理階層の該当構成部に提供されたり、物理階層の該当構成部に制御信号を発生する。
【０１１０】
本発明に加えて、前記制御部７００、７１０は、ビーム追跡及び送受信ビームフォーミングパターンを決定する。すなわち、前記制御部７００、７１０は図１ないし図３に説明された端末および基地局の動作を制御する。
【０１１１】
例えば、第１実施例によって、端末の前記制御部７００は基地局から多数の下向きリンク基準信号を受信して少なくとも一つ以上の下向きリンク送信ビームパターンを決定し、前記決定された少なくとも一つ以上の下向きリンク送信ビームパターンに対応するインデックス情報を含む多数の上向きリンク基準信号を前記基地局に伝送し、前記基地局から、上向きリンク送信ビームパターンに対応するインデックス情報及び前記多数の上向きリンク基準信号から前記少なくとも一つ以上の下向きリンク送信ビームパターンに対応するインデックスが前記基地局で成功的に受信されたことを指示するＡＣＫ情報を受信する。
【０１１２】
また、端末の前記制御部７００は、前記上向きリンク送信ビームパターンに対応するインデックス情報を前記基地局から成功的に検出する場合、ＡＣＫ情報を前記基地局に伝送し、前記上向きリンク送信ビームパターンに対応するインデックス情報を前記基地局から成功的に検出しない場合、ＮＡＣＫ情報を前記基地局に伝送する。もし、前記基地局から、上向きリンク送信ビームパターンに対応するインデックス情報を成功的に検出し、前記多数の上向きリンク基準信号から前記少なくとも一つ以上の下向きリンク送信ビームパターンに対応するインデックスが前記基地局で成功的に受信できなかったことを指示するＮＡＣＫ情報を受信する時、以前の多数の上向きリンク送信ビームパターンに基づいて、前記少なくとも一つ以上の下向きリンク送信ビームパターンに対応するインデックスを前記基地局から再受信する。
【０１１３】
一方、前記基地局から、上向きリンク送信ビームパターンに対応するインデックス情報を成功的に検出できず、前記多数の上向きリンク基準信号から前記少なくとも一つ以上の下向きリンク送信ビームパターンに対応するインデックスが前記基地局で成功的に受信できなかったことを指示するＮＡＣＫ情報を受信する時、前記決定された少なくとも一つ以上の下向きリンク送信ビームパターンに対応するインデックス情報を含む多数の上向きリンク基準信号を前記基地局に再伝送する。
【０１１４】
また、前記基地局から、上向きリンク送信ビームパターンに対応するインデックス情報及び前記多数の上向きリンク基準信号から前記少なくとも一つ以上の下向きリンク送信ビームパターンに対応するインデックスが前記基地局で成功的に受信されたことを指示するＡＣＫ情報を再受信する過程をさらに含むことを特徴とする方法。
【０１１５】
前記多数の上向きリンク基準信号から前記少なくとも一つ以上の下向きリンク送信ビームパターンに対応するインデックスが前記基地局で成功的に受信できなかったことを指示するＮＡＣＫ情報を受信する時、前記下向きリンク送信ビームパターンは広いビームパターンが利用されたり、以前受信した少なくとも一つ以上の下向きリンク送信ビームパターンを利用する。
【０１１６】
第１実施例によって、基地局の前記制御部７１０は、端末に多数の下向きリンク基準信号を送信し、前記多数の下向きリンク基準信号に基づいて前記端末により決定された少なくとも一つ以上の下向きリンク送信ビームパターンに対応するインデックス情報を含む多数の上向きリンク基準信号を前記端末から受信し、前記多数の上向きリンク基準信号に基づいて決定された上向きリンク送信ビームパターンに対応するインデックス情報及び前記少なくとも一つ以上の下向きリンク送信ビームパターンに対応するインデックスが成功的に受信されたことを指示するＡＣＫ情報を伝送する。
【０１１７】
また、基地局の前記制御部７１０は、前記端末により前記上向きリンク送信ビームパターンに対応するインデックス情報が成功的に検出される場合、ＡＣＫ情報を前記端末から受信し、前記端末により前記上向きリンク送信ビームパターンに対応するインデックス情報を成功的に検出しない場合、ＮＡＣＫ情報を前記端末から受信する。
【０１１８】
一方、前記上向きリンク送信ビームパターンに対応するインデックス情報を成功的に検出し、前記多数の上向きリンク基準信号から前記少なくとも一つ以上の下向きリンク送信ビームパターンに対応するインデックスが成功的に受信できなかったことを指示するＮＡＣＫ情報を伝送する時、以前の多数の上向きリンク送信ビームパターンに基づいて前記少なくとも一つ以上の下向きリンク送信ビームパターンに対応するインデックスを前記端末に再伝送する。
【０１１９】
もし、上向きのリンク送信ビームパターンに対応するインデックス情報を成功的に検出できず、前記多数の上向きリンク基準信号から前記少なくとも一つ以上の下向きリンク送信ビームパターンに対応するインデックスが成功的に受信できなかったことを指示するＮＡＣＫ情報を伝送する時、前記決定された少なくとも一つ以上の下向きリンク送信ビームパターンに対応するインデックス情報を含む多数の上向きリンク基準信号を再受信し、上向きリンク送信ビームパターンに対応するインデックス情報及び前記多数の上向きリンク基準信号から前記少なくとも一つ以上の下向きリンク送信ビームパターンに対応するインデックスが成功的に受信されたことを指示するＡＣＫ情報を再び前記端末に再伝送する。
【０１２０】
この時、前記多数の上向きリンク基準信号から前記少なくとも一つ以上の下向きリンク送信ビームパターンに対応するインデックスが成功的に受信できなかったことを指示するＮＡＣＫ情報を受信する時、前記下向きリンク送信ビームパターンは広いビームパターンが利用されるか、又は以前に受信した少なくとも一つ以上の下向きリンク送信ビームパターンを利用する。
【０１２１】
第２実施例によって、端末の前記制御部７００は一つ以上の上向きリンク送信ビームパターン及び一つ以上の上向きリンク受信ビームパターンを決定し、基地局から多数の下向きリンク基準信号を受信して少なくとも一つ以上の下向きリンク送信ビームパターンを決定し、前記決定された一つ以上の上向きリンク送信ビームパターンを用いて少なくとも一つ以上の下向きリンク送信パターンに対応するインデックス情報を前記基地局に伝送し、前記基地局によって、前記少なくとも一つ以上の下向きリンク送信ビームパターンに対応するインデックス情報が成功的に受信される時、ＡＣＫ情報を前記基地局から受信する。
【０１２２】
この時、前記基地局によって、前記少なくとも一つ以上の下向きリンク送信ビームパターンに対応するインデックス情報が成功的に受信されない場合、前記決定された一つ以上の上向きリンク送信ビームパターンを用いて、少なくとも一つ以上の下向きリンク送信ビームパターンに対応するインデックス情報を前記基地局に再伝送する。
【０１２３】
もし、前記基地局によって、前記少なくとも一つ以上の下向きリンク送信ビームパターンに対応するインデックス情報が成功的に受信されない場合、多数の上向きリンク基準信号を前記基地局に伝送し、前記基地局から上向きリンク送信ビームパターンに対応するインデックス情報を受信し、前記上向きリンク送信ビームパターンに対応するインデックス情報を受信可否によってＡＣＫまたはＮＡＣＫを伝送する。
【０１２４】
第２実施例によって、基地局の前記制御部７１０は一つ以上の上向きリンク送信ビームパターン及び一つ以上の上向きリンク受信ビームパターンを決定し、端末に多数の下向きリンク基準信号を送信し、前記多数の下向きリンク基準信号に基づいて前記端末により決定された少なくとも一つ以上の下向きリンク送信ビームパターンに対応するインデックス情報を前記端末から受信し、前記少なくとも一つ以上の下向きリンク送信ビームパターンに対応するインデックスが成功的に受信される時、ＡＣＫ情報を前記端末に伝送する。
【０１２５】
第３実施例によって、端末の前記制御部７００は一つ以上の下向きリンク送信ビームパターン及び一つ以上の下向きリンク受信ビームパターンを決定し、多数の上向きリンク基準信号を基地局に伝送し、前記基地局から前記多数の上向きリンク基準信号に基づいて上向きリンク送信ビームパターンに対応するインデックス情報を受信し、前記上向きリンク送信ビームパターンに対応するインデックス情報を受信可否によってＡＣＫまたはＮＡＣＫを伝送する。
【０１２６】
また、前記基地局によって、上向きリンク送信ビームパターンに対応するインデックス情報が成功的に検出されない場合、多数の上向きリンク基準信号を基地局に再伝送し、前記基地局から前記多数の上向きリンク基準信号に基づいて上向きリンク送信ビームパターンに対応するインデックス情報を再受信する。
【０１２７】
もし、前記基地局によって、上向きリンク送信ビームパターンに対応するインデックス情報が成功的に検出されない場合、基地局から多数の下向きリンク基準信号を受信して少なくとも一つ以上の下向きリンク送信ビームパターンを決定し、前記少なくとも一つ以上の下向きリンク送信パターンに対応するインデックス情報を前記基地局に伝送し、多数の上向きリンク基準信号を基地局に伝送し、前記基地局から前記多数の上向きリンク基準信号に基づいて上向きリンク送信ビームパターンに対応するインデックス情報を受信する。
【０１２８】
第３実施例によって、基地局の前記制御部７１０は一つ以上の下向きリンク送信ビームパターン及び一つ以上の下向きリンク受信ビームパターンを決定し、多数の上向きリンク基準信号を端末から受信し、前記多数の上向きリンク基準信号に基づいて上向きリンク送信ビームパターンに対応するインデックス情報を前記端末に伝送し、前記上向きリンク送信ビームパターンに対応するインデックス情報を受信可否によってＡＣＫまたはＮＡＣＫを受信する。
【０１２９】
図８は、本発明の第２実施例による下向きリンクと上向きリンクに対するビーム設定を行なう端末動作フローチャートを示す。
【０１３０】
前記図８を参照すると、端末はステップ８００で一つ以上の上向きリンク送信ビームパターン及び一つ以上の上向きリンク受信ビームパターンを決定し、基地局から多数の下向きリンク基準信号を受信する。
【０１３１】
以後、端末はステップ８０２で受信された下向きリンク基準信号に基づいて、少なくとも一つ以上の下向きリンク送信ビームパターンを決定し、前記決定された一つ以上の上向きリンク送信ビームパターンを用いて、少なくとも一つ以上の下向きリンク送信パターンに対応するインデックス情報を前記基地局に伝送する。
【０１３２】
以後、ステップ８０４において前記基地局によって、前記少なくとも一つ以上の下向きリンク送信ビームパターンに対応するインデックス情報が成功的に受信されない場合、端末はステップ８０２に進み、前記決定された一つ以上の上向きリンク送信ビームパターンを用いて少なくとも一つ以上の下向きリンク送信ビームパターンに対応するインデックス情報を前記基地局に再伝送する。
【０１３３】
他の具現において、前記基地局によって、前記少なくとも一つ以上の下向きリンク送信ビームパターンに対応するインデックス情報が成功的に受信されない場合、多数の上向きリンク基準信号を前記基地局に伝送し、前記基地局から上向きリンク送信ビームパターンに対応するインデックス情報を受信し、前記上向きリンク送信ビームパターンに対応するインデックス情報受信可否によってＡＣＫまたはＮＡＣＫを伝送する。
【０１３４】
一方、端末はステップ８０４で少なくとも一つ以上の下向きリンク送信ビームインデックス送信に対する応答で、前記基地局からＡＣＫ情報を前記基地局から受信する時、本発明のビーム追跡の手順を終了する。
【０１３５】
図９は本発明の第２実施例による下向きリンクと上向きリンクに対するビームの設定を行なう基地局動作フローチャートを示す。
【０１３６】
前記図９を参照すると、基地局はステップ９００で一つ以上の上向きリンク送信ビームパターン及び一つ以上の上向きリンク受信ビームパターンを決定し、端末に多数の下向きリンク基準信号を送信する。
【０１３７】
以後、基地局はステップ９０２で前記多数の下向きリンク基準信号に基づいて前記端末により決定された少なくとも一つ以上の下向きリンク送信ビームパターンに対応するインデックス情報を前記端末から受信する。
【０１３８】
以後、基地局はステップ９０４で下向きリンク送信ビームパターンに対応するインデックス情報を成功的に検出する時、ステップ９０６に進み、ＡＣＫ情報を前記端末に伝送する。
【０１３９】
一方、基地局はステップ９０４で下向きリンク送信ビームパターンに対応するインデックス情報を成功的に検出しない時、ステップ９０８に進み、ＮＡＣＫ情報を前記端末で伝送し、少なくとも一つ以上の下向きリンク送信ビームパターンに対応するインデックス情報を前記端末から再受信する。
【０１４０】
図１０は、本発明の第３実施例による下向きリンクと上向きリンクに対するビームの設定を行なう端末動作フローチャートを示す。
【０１４１】
前記図１０を参照すると、端末はステップ１０００で一つ以上の下向きリンク送信ビームパターン及び一つ以上の下向きリンク受信ビームパターンを決定し、多数の上向きリンク基準信号を基地局に伝送する。
【０１４２】
以後、端末はステップ１００２において、前記基地局から前記多数の上向きリンク基準信号に基づいて上向きリンク送信ビームパターンに対応するインデックス情報を受信する。
【０１４３】
以後、端末はステップ１００４において、上向きリンク送信ビームパターンに対応するインデックス情報が成功的に検出されたか否かを判断して成功的に検出される時、ステップ１００６に進み、ＡＣＫメッセージを伝送する。
【０１４４】
一方、成功的に検出されない場合、ステップ１００８において、ＮＡＣＫを伝送し、以後、ステップ１０１０において、多数の上向きリンク基準信号を基地局に再伝送し、前記基地局から前記多数の上向きリンク基準信号に基づいて上向きリンク送信ビームパターンに対応するインデックス情報を再受信する。
【０１４５】
他の具現において、前記基地局によって、上向きリンク送信ビームパターンに対応するインデックス情報が成功的に検出されない場合、基地局から多数の下向きリンク基準信号を受信して少なくとも一つ以上の下向きリンク送信ビームパターンを決定し、前記少なくとも一つ以上の下向きリンク送信パターンに対応するインデックス情報を前記基地局に伝送し、多数の上向きリンク基準信号を基地局に伝送し、前記基地局から前記多数の上向きリンク基準信号に基づいて上向きリンク送信ビームパターンに対応するインデックス情報を受信する。
【０１４６】
図１１は、本発明の第３実施例による下向きリンクと上向きリンクに対するビームの設定を行なう基地局動作フローチャートを示す。
【０１４７】
前記図１１を参照すると、基地局はステップ１１００で一つ以上の下向きリンク送信ビームパターン及び一つ以上の下向きリンク受信ビームパターンを決定し、多数の上向きリンク基準信号を端末から受信する。
【０１４８】
以後、基地局はステップ１１０２で前記多数の上向きリンク基準信号に基づいて上向きリンク送信ビームパターンに対応するインデックス情報を前記端末に伝送する。
【０１４９】
以後、基地局はステップ１００４において、前記上向きリンク送信ビームパターンに対応するインデックス情報に対する応答でＡＣＫメッセージを受信する時、本発明のビーム追跡の手順を終了する。
【０１５０】
一方、基地局が前記上向きリンク送信ビームパターンに対応するインデックス情報に応答でＮＡＣＫメッセージを受信する時、ステップ１１０２に進み、少なくとも一つ以上の下向きリンク送信ビームパターンに対応するインデックス情報を前記端末から再送信する。
【０１５１】
上述のように、下向きリンク送受信ビームパターンに該当するインデックス及び上向きリンク送受信ビームパターンに該当するインデックスを受信する時、送受信ビームパターンに該当するインデックス再伝送の手順を定義することにより、無線通信システムにおける送受信ビームフォーミングパターンを効率的に選択できる利点がある。
【０１５２】
一方、本発明の詳細な説明では具体的な実施例について説明したが、本発明の範囲から外れない限度内で様々な変形が可能であることは言うまでもない。したがって、本発明の範囲は説明された実施例に限られて定められてはならず、後述する特許請求の範囲だけでなく、この特許請求の範囲と均等なものよって定められなければならない。
【符号の説明】
【０１５３】
７００  制御部
７０２  受信部
７０４  送信部
７１０  制御部
７１２  送信部
７１４  受信部
【図１】
2014529213.tif 000003
【図２】
2014529213.tif 000004
【図３】
2014529213.tif 000005
【図４】
2014529213.tif 000006
【図５】
2014529213.tif 000007
【図６ａ】
2014529213.tif 000008
【図６ｂ】
2014529213.tif 000009
【図７】
2014529213.tif 000010
【図８】
2014529213.tif 000011
【図９】
2014529213.tif 000012
【図１０】
2014529213.tif 000013
【図１１】
2014529213.tif 000014
【国際調査報告】
2014529213.tif 000015
2014529213.tif 000016